(57)【要約】【課題】ハンズフリートランクオープンシステム及びオープン方法を提供する。【解決手段】トランクアンテナ、トランクアンテナの感知信号または認証信号を受信した場合、これに対応する感知応答信号または認証応答信号を送信し、ハンズフリー機能の設定の入力を受けて保存し、ハンズフリー機能の設定時には感知応答信号に機能設定情報を含んで送信するスマートキー、前記スマートキーの感知応答信号または認証応答信号を受信する受信アンテナ、及び前記トランクアンテナが感知信号を一定周期で送信し、受信アンテナが機能設定情報が含まれた感知応答信号をあらかじめ定められた回数だけ受信した場合にトランクアンテナが認証信号を送信するようにし、受信アンテナが認証応答信号を受信した場合に認証処理を遂行して認証された場合トランク開放信号を出力する制御機、を含むことを特徴とする。【選択図】図１
2014194142.tif 000002
【特許請求の範囲】
【請求項１】
車両のトランク側に設置されて感知信号または認証信号を送信するトランクアンテナ、
前記トランクアンテナの前記感知信号または前記認証信号を受信した場合、これに対応する感知応答信号または認証応答信号を送信し、ハンズフリー機能の設定の入力を受けて保存し、前記ハンズフリー機能の設定時には前記感知応答信号に機能設定情報を含んで送信するスマートキー、
前記スマートキーの前記感知応答信号または前記認証応答信号を受信する受信アンテナ、及び、
前記トランクアンテナが前記感知信号を一定周期で送信し、前記受信アンテナが、前記機能設定情報が含まれた前記感知応答信号をあらかじめ定められた回数だけ受信した場合に前記トランクアンテナが認証信号を送信するようにし、前記受信アンテナが認証応答信号を受信した場合に認証処理を遂行し、認証された場合トランク開放信号を出力する制御機、を含むハンズフリートランクオープンシステム。
【請求項２】
前記制御機は、前記トランク開放信号の出力後、トランクの開放が確認されたら前記トランクアンテナを通じて解除信号を送信し、前記スマートキーは、前記解除信号の受信時、保存された前記ハンズフリー機能の設定を削除することを特徴とする請求項１に記載のハンズフリートランクオープンシステム。
【請求項３】
前記制御機は、前記トランク開放信号の出力後、トランクの開放が確認されない場合、再び前記トランクアンテナが前記感知信号を一定周期で送信するようにすることを特徴とする請求項１に記載のハンズフリートランクオープンシステム。
【請求項４】
前記制御機は、前記受信アンテナが前記認証応答信号を一定時間内に受信することができなかった場合、前記トランクアンテナが前記認証信号を再び送信するようにすることを特徴とする請求項１に記載のハンズフリートランクオープンシステム。
【請求項５】
前記制御機は、前記認証信号の再送信にもかかわらず前記受信アンテナが前記認証応答信号を一定時間内に受信することができなかった場合、再び前記トランクアンテナが前記感知信号を一定周期で送信するようにすることを特徴とする請求項４に記載のハンズフリートランクオープンシステム。
【請求項６】
前記制御機は、前記トランクアンテナが前記感知信号を送信し始めた時点からすぐ前記感知応答信号を受信し、一定時間の間または一定回数だけ前記感知応答信号を持続的に受信する場合には、前記認証信号を送信して前記認証応答信号を受信し、前記認証処理を遂行して認証された場合、前記感知信号の送信を中断することを特徴とする請求項１に記載のハンズフリートランクオープンシステム。
【請求項７】
前記制御機は、前記感知信号の送信を中断すると同時に、受信していた前記感知応答信号に前記機能設定情報が含まれていた場合には前記トランクアンテナを通じて前記解除信号を送信し、前記スマートキーは前記解除信号の受信時、保存された前記ハンズフリー機能の設定を削除することを特徴とする請求項６に記載のハンズフリートランクオープンシステム。
【請求項８】
前記制御機は、前記受信アンテナが前記機能設定情報が含まれていない前記感知応答信号を一定時間の間または一定回数だけ持続的に受信する場合には、前記認証信号を送信して前記認証応答信号を受信し、前記認証処理を遂行して認証された場合、前記感知信号の送信を中断することを特徴とする請求項１に記載のハンズフリートランクオープンシステム。
【請求項９】
前記制御機は、前記機能設定情報が含まれた前記感知応答信号を受信した場合、外部通報信号を出力し、前記機能設定情報が含まれた前記感知応答信号をあらかじめ定められた回数だけ受信する間、一定周期で前記外部通報信号を出力し、前記トランク開放信号を出力する場合に前記外部通報信号を出力することを特徴とする請求項１に記載のハンズフリートランクオープンシステム。
【請求項１０】
前記スマートキーは、それぞれのＩＤが備えられた複数個で用意され、前記感知応答信号または前記認証応答信号には前記ＩＤに係わる情報が含まれることを特徴とする請求項１に記載のハンズフリートランクオープンシステム。
【請求項１１】
前記制御機は、複数のスマートキーから前記感知応答信号を受信する場合、前記機能設定情報が含まれた前記感知応答信号のスマートキーを基準にして前記認証処理及び前記トランク開放信号の出力を遂行することを特徴とする請求項１０に記載のハンズフリートランクオープンシステム。
【請求項１２】
前記制御機は、複数のスマートキーから前記感知応答信号を受信し、それぞれの前記感知応答信号に前記機能設定情報が全て含まれていた場合には、前記感知応答信号を先に受信したスマートキーを基準にして前記認証処理及び前記トランク開放信号の出力を遂行することを特徴とする請求項１０に記載のハンズフリートランクオープンシステム。
【請求項１３】
請求項１項のハンズフリートランクオープンシステムを利用したハンズフリートランクオープン方法であって、
前記制御機の制御により，  前記トランクアンテナから一定周期で前記感知信号を送信する探知段階、
前記スマートキーで前記ハンズフリー機能の設定を入力された場合、これを保存する保存段階、
前記スマートキーで前記感知信号を受信した場合、対応する前記感知応答信号を送信し、前記ハンズフリー機能の設定時には前記感知応答信号に前記機能設定情報を含んで送信する応答段階、
前記受信アンテナで前記機能設定情報が含まれた前記感知応答信号をあらかじめ定められた回数だけ受信した場合、前記制御機によって前記トランクアンテナが前記認証信号を送信する突入段階、
前記スマートキーで前記認証信号を受信した場合、対応する前記認証応答信号を送信する認証段階、
及び前記受信アンテナが前記認証応答信号を受信した場合、前記制御機で前記認証処理を遂行して認証された場合に前記トランク開放信号を出力する開放段階、
を含むことを特徴とするハンズフリートランクオープン方法。
【発明の詳細な説明】
【技術分野】
【０００１】
本発明は、ハンズフリートランクオープンシステムに係り、より詳しくは、車両の使用者がスマートキーを利用してハンズフリーでトランクを開放することができるようにするハンズフリートランクオープンシステム及びオープン方法に関する。
【背景技術】
【０００２】
最近の車両は、スマートキーによって多様な遠隔サービスを提供している。このようなスマートキーは、遠隔始動／ドア制御／キーレスゴー（ｋｅｙｌｅｓｓ  ｇｏ）等のサービスを可能にしている。
【０００３】
一方、車両のトランクやテールゲート等の場合、両手に荷物を持った状態では荷物を床に下ろして手でトランクを開放した後、また荷物を持ってトランクルームに入れなければならないので、最近はこのような不便さを減らすために自動的に使用者がトランクを開放しようとする意図を把握し、これによってトランクをあらかじめ開放することによって便宜を提供しようとする技術的試みが提示されている。
【０００４】
代表的なものとしては、運転者がテールゲート（トランク）の後で車両のバンパー下端部に足を進入し、車両の下端部のセンサーが足の進入を確認して既存のスマートキーシステムで認証を要請し、既存のスマートキーシステム認証の後、認証確認時にテールゲートオープン命令を実施することによりトランクを開放するようにする技術が常用化されている。
【０００５】
一方、このようなスマートキーを利用したドア等の開放システムとしては、特許文献１及び特許文献２等の技術が提示されている。
【先行技術文献】
【特許文献】
【０００６】
【特許文献１】ＫＲ１０−２００８−００８６６２３Ａ
【特許文献２】ＫＲ２０−０２８９６６５Ｙ
【発明の概要】
【発明が解決しようとする課題】
【０００７】
本発明は前記のような点に鑑みてなされたものであって、本発明の目的は、トランクという特定ドアの特性に合わせて、安定性を備えながら自動的に意図を把握してトランクを開放することができるようにするハンズフリートランクオープンシステム及びオープン方法を提供することにある。
【課題を解決するための手段】
【０００８】
このような目的を達成するための、本発明のハンズフリートランクオープンシステムは、車両のトランク側に設置されて感知信号または認証信号を送信するトランクアンテナ、  前記トランクアンテナの感知信号または認証信号を受信した場合、これに対応する感知応答信号または認証応答信号を送信し、ハンズフリー機能の設定の入力を受けて保存し、ハンズフリー機能の設定時には感知応答信号に機能設定情報を含ませて送信するスマートキー、  前記スマートキーの感知応答信号または認証応答信号を受信する受信アンテナ、及び前記トランクアンテナが感知信号を一定周期で送信し、受信アンテナが機能設定情報が含まれた感知応答信号をあらかじめ定められた回数だけ受信した場合にトランクアンテナが認証信号を送信するようにし、受信アンテナが認証応答信号を受信した場合に認証処理を遂行し、認証された場合トランク開放信号を出力する制御機、を含むことを特徴とする。
【０００９】
前記制御機は、トランク開放信号の出力後、トランクの開放が確認されたらトランクアンテナを通じて解除信号を送信し、スマートキーは、解除信号の受信時、保存されたハンズフリー機能の設定を削除することを特徴とする。
【００１０】
前記制御機は、トランク開放信号の出力後、トランクの開放が確認されない場合、再びトランクアンテナが感知信号を一定周期で送信することができることを特徴とする。
【００１１】
前記制御機は、受信アンテナが認証応答信号を一定時間内に受信することができなかった場合、トランクアンテナが認証信号を再び送信することを特徴とする。
【００１２】
前記制御機は、認証信号の再送信にもかかわらず受信アンテナが認証応答信号を一定時間内に受信することができなかった場合、再びトランクアンテナが感知信号を一定周期で送信するようにすることを特徴とする。
【００１３】
前記制御機は、トランクアンテナが感知信号を送信し始めた時点からすぐ感知応答信号を受信し、一定時間の間または一定回数だけ感知応答信号を持続的に受信する場合には、認証信号を送信して認証応答信号を受信し、認証処理を遂行して認証された場合、感知信号の送信を中断することを特徴とする。
【００１４】
前記制御機は、感知信号の送信を中断すると同時に、受信していた感知応答信号に機能設定情報が含まれていた場合にはトランクアンテナを通じて解除信号を送信し、スマートキーは解除信号の受信時、保存されたハンズフリー機能の設定を削除することを特徴とする。
【００１５】
前記制御機は、受信アンテナが機能設定情報が含まれていない感知応答信号を一定時間の間または一定回数だけ持続的に受信する場合には、認証信号を送信して認証応答信号を受信し、認証処理を遂行して認証された場合、感知信号の送信を中断することを特徴とする。
【００１６】
前記制御機は、機能設定情報が含まれた感知応答信号を受信した場合、外部通報信号を出力し、機能設定情報が含まれた感知応答信号をあらかじめ定められた回数だけ受信する間一定周期で外部通報信号を出力し、トランク開放信号を出力する場合に外部通報信号を出力することを特徴とする。
【００１７】
前記スマートキーは、それぞれのＩＤが備えられた複数個で用意され、感知応答信号または認証応答信号にはＩＤに係わる情報が含まれることを特徴とする。
【００１８】
前記制御機は、複数のスマートキーから感知応答信号を受信する場合、機能設定情報が含まれた感知応答信号のスマートキーを基準にして認証処理及びトランク開放信号の出力を遂行することを特徴とする。
【００１９】
前記制御機は、複数のスマートキーから感知応答信号を受信し、それぞれの感知応答信号に機能設定情報が全て含まれていた場合には、感知応答信号を先に受信したスマートキーを基準にして認証処理及びトランク開放信号の出力を遂行することを特徴とする。
【００２０】
本発明のハンズフリートランクオープンシステムを利用したハンズフリートランクオープン方法は、制御機の制御により，トランクアンテナから一定周期で感知信号を送信する探知段階、スマートキーでハンズフリー機能の設定を入力された場合、これを保存する保存段階、スマートキーで感知信号を受信した場合、対応する感知応答信号を送信し、ハンズフリー機能の設定時には感知応答信号に機能設定情報を含ませて送信する応答段階、受信アンテナで機能設定情報が含まれた感知応答信号をあらかじめ定められた回数だけ受信した場合、制御機によってトランクアンテナが認証信号を送信する突入段階、スマートキーで認証信号を受信した場合、対応する認証応答信号を送信する認証段階、及び受信アンテナが認証応答信号を受信した場合、制御機で認証処理を遂行して認証された場合にトランク開放信号を出力する開放段階、を含むことを特徴とする。
【発明の効果】
【００２１】
上述したような構造からなるハンズフリートランクオープンシステム及びオープン方法によれば、トランクを一定感知領域で一定感知時間の間認証するという条件を満たした時にのみ開放することにより、開放に対する安定性と保安を強化することができる。
【００２２】
また、スマートキーがトランク側に近接した場合にのみ開放されるようにすることにより、システムの安定性が確保され誤動作が減る。
【００２３】
また、警告機能を付加することにより、使用者が各段階を容易に認識してトランクの開きに備えることができるようにし、スマートキーの認証が完了してトランクの開放が確認された場合にのみスマートキーの設定記録を削除することによりトランクの開放を確実に追跡することができるようにする。
【００２４】
アウェー機能を付加することにより、望まないトランクの開放を防止すると同時に、スマートキーのバッテリー放電を防止することができる。
【００２５】
また、同一車両に対する複数のスマートキーが近接する場合、システムエラーなしに安定的にトランクの開放を遂行することができる。
【図面の簡単な説明】
【００２６】
【図１】本発明の一実施例によるハンズフリートランクオープンシステムの構成図。
【図２】本発明の一実施例によるハンズフリートランクオープン方法の順序図。
【図３】図１に図示されたハンズフリートランクオープンシステムの信号伝達過程を示した図面。
【図４】図１に図示されたハンズフリートランクオープンシステムの感知及び認証過程を示した図面。
【図５】図１に図示されたハンズフリートランクオープンシステムのアウェー機能を示した図面。
【図６】図１に図示されたハンズフリートランクオープンシステムのアウェー機能を示した図面。
【発明を実施するための形態】
【００２７】
以下では添付した図面を参照して本発明の望ましい実施例によるハンズフリートランクオープンシステム及びオープン方法について説明する。
【００２８】
図１は、本発明の一実施例によるハンズフリートランクオープンシステムの構成図であり、本発明のハンズフリートランクオープンシステムは、車両のトランク側に設置されて感知信号または認証信号を送信するトランクアンテナ１００、前記トランクアンテナ１００の感知信号または認証信号を受信した場合、これに対応する感知応答信号または認証応答信号を送信し、ハンズフリー機能の設定の入力を受けて保存し、ハンズフリー機能の設定時には感知応答信号に機能設定情報を含ませて送信するスマートキー２００、前記スマートキー２００の感知応答信号または認証応答信号を受信する受信アンテナ３００、及び前記トランクアンテナ１００が感知信号を一定周期で送信し、受信アンテナ３００が機能設定情報が含まれた感知応答信号をあらかじめ定められた回数だけ受信した場合にトランクアンテナ１００が認証信号を送信するようにし、受信アンテナ３００が認証応答信号を受信した場合に認証処理を遂行し、認証された場合トランク開放信号を出力する制御機４００を含む。
【００２９】
一方、図２は本発明の一実施例によるハンズフリートランクオープン方法の順序図であり、本発明のハンズフリートランクオープン方法は、トランクアンテナから一定周期で感知信号を送信する探知段階Ｓ１００、スマートキーでハンズフリー機能の設定の入力を受ける場合、これを保存する保存段階Ｓ２００、スマートキーで感知信号を受信した場合、対応する感知応答信号を送信し、ハンズフリー機能の設定時には感知応答信号に機能設定情報を含ませて送信する応答段階Ｓ３００、受信アンテナ３００で機能設定情報が含まれた感知応答信号をあらかじめ定められた回数だけ受信した場合、トランクアンテナが認証信号を送信する突入段階Ｓ４００、スマートキーで認証信号を受信した場合、対応する認証応答信号を送信する認証段階Ｓ５００、及び受信アンテナが認証応答信号を受信した場合、制御機で認証処理を遂行して認証された場合トランク開放信号を出力する開放段階Ｓ６００を含む。
【００３０】
具体的に、本発明のハンズフリートランクオープンシステムは、スマートキー２００、車両のトランクアンテナ１００、受信アンテナ３００、制御機４００から構成される。車両のトランクアンテナ１００、受信アンテナ３００は、制御機４００で動作制御がなされる。
【００３１】
まず使用者は、スマートキー２００でトランクハンズフリー開放機能を設定するか解除するようにすることができる。これはスマートキー２００のボタン操作によって容易に実行できる。
【００３２】
一方、車両ではそれぞれのドアにＬＦ（Ｌｏｗ  Ｆｒｅｑｕｅｎｃｙ）アンテナ１０が設けられて、各ドアでスマートキー２００を探知するようにする。
【００３３】
図３は、図１に図示したハンズフリートランクオープンシステムの信号伝達過程を示した図面であり、まず車両の制御機４００ではトランクアンテナ１００に感知要請をする。そしてトランクアンテナ１００ではその周辺にＬＦ信号を送る。これは送る範囲が定められていて、トランクの半径一定範囲内のスマートキー２００に感知信号を一定周期で送るようにする。
【００３４】
スマートキー２００が、もしトランクに近接した位置にあって感知信号を受信する場合は、ＲＦ（Ｒａｄｉｏ  Ｆｒｅｑｕｅｎｃｙ）信号で感知応答信号を車両に送る。この場合、車両に設けられた受信アンテナ３００は、そのＲＦ信号を受信してこれを制御機４００に伝達することにより、制御機４００はスマートキー２００がトランクの周辺に位置するということを認識する。このように車両からスマートキー２００に送る信号はＬＦを利用し、スマートキー２００から車両に送る信号はＲＦを利用することにより、相互間の干渉を減らしてノイズに強くすることができる。
【００３５】
一方、車両の各ドアにはそれぞれのＩＤを付与し、各ドアに設けられたＬＦアンテナでは感知信号にドアＩＤを含むようにして、スマートキー２００は感知応答信号にどのＩＤのドアの感知信号に対応した応答であるかを情報に含ませて送るようにする。例えば、本発明のトランクアンテナ１００からはＩＤ：３を感知信号として送り、スマートキー２００から、この信号を受信した場合ＩＤ：３の内容を含む感知応答信号を送ることにより、制御機４００でスマートキー２００がトランクの近所にあるという事実を知ることができるようにする。したがって、車両の一般ドア側アンテナ１０からＩＤ：２の感知信号を送出する場合、制御機では該当する感知信号に対応した感知応答信号がＩＤ２に関するものであることが分かり、したがって使用者はトランクではない該当ドアに近接しているという事実を認識しハンズフリートランク開放を遂行しない。
【００３６】
一方、図４は、図１に図示したハンズフリートランクオープンシステムの感知及び認証過程を示した図面であり、まずトランクアンテナ１００から一定周期で感知信号を送信する。そして、もしスマートキー２００がトランクに近接する場合には、スマートキー２００が感知信号の伝達を受けて感知応答信号を車両の受信アンテナ３００に送信する。ここで、もしスマートキー２００でハンズフリー機能の設定を使用者がボタン等を通じて入力する場合には、これをスマートキー２００に保存し、感知信号を受信した場合に対応する感知応答信号に機能設定情報を含ませて送るようにする。
【００３７】
この場合、制御機４００ではハンズフリー開放を望む使用者がトランクに近接したものと仮定して、その次から起きる感知で、カウンティングを遂行する。すなわち、受信アンテナ３００で機能設定情報が含まれた感知応答信号をあらかじめ定められた回数だけ受信した場合、トランクアンテナ１００は認証信号を送信する。
【００３８】
図示したように、７回の感知が起きた場合（感知信号と感知応答信号を７回ずつやり取りした場合）、使用者のトランク開放意思を確定し認証を遂行する。よって、７回を満たすことができず３回程度のみ満足してそれ以上感知されない場合には、使用者が離れたものとみてトランクを開放しないことにより意図に符合するようにし、車両の保安を維持する。
【００３９】
認証遂行時には、まずトランクアンテナ１００が認証信号を送信し、スマートキー２００でその要請に応じて対応するパスワード等を含む認証応答信号を送信する。
【００４０】
そして受信アンテナ３００が認証応答信号を受信した場合、制御機４００で認証処理を遂行し、認証した場合はトランク開放信号を出力してトランクラッチ等を解除して開放する。
【００４１】
一方、制御機４００は、トランク開放信号出力後、トランクの開放が確認されたらトランクアンテナ１００を通じて解除信号を送信し、スマートキー２００は、解除信号を受信すると、保存されたハンズフリー機能の設定を削除して、不要に感知応答信号を持続的に送出してスマートキー２００のバッテリーが放電する状態を防止する。
【００４２】
また、制御機４００は、トランク開放信号出力後、トランクの開放が確認されない場合、再びトランクアンテナ１００が感知信号を一定周期で送信するようにする。すなわち、トランクが物理的な故障等によって開放されない場合には、再び最初から感知を遂行するようにして、安定性を付与する。
【００４３】
また、制御機４００は、受信アンテナ３００が認証応答信号を一定時間内に受信することができなかった場合、トランクアンテナ１００が認証信号を再び送信するようにする。すなわち、周辺の通信ノイズ等によって一定時間内に認証応答信号が受付られない場合、感知はされたものとみるが認証されなかった場合として、再度スマートキー２００に認証信号を送信する。
【００４４】
一方、制御機４００は、認証信号の再送信にもかかわらず受信アンテナ３００が認証応答信号を一定時間内に受信することができなかった場合、再びトランクアンテナ１００が感知信号を一定周期で送信するようにする。すなわち、この場合には、スマートキー２００が認証段階で遠く離れていたりする場合等とみて、感知段階から再び始めるようにする。
【００４５】
そして、制御機４００は、トランクアンテナ１００が感知信号を送信し始めた時点からすぐ感知応答信号を受信し、一定時間の間または一定回数だけ感知応答信号を持続的に受信する場合には、認証信号を送信して認証応答信号を受信し、認証処理を遂行して認証した場合、感知信号の送信を中断する。
【００４６】
この場合は、図５に図示した場合であり、これをアウェー（ＡＷＡＹ）機能と称することにする。
【００４７】
すなわち、スマートキー２００が元々トランクの周辺に位置する場合を仮定したものであり、使用者がかばん等をその周辺に置いておいた場合が代表的なものである。この場合は感知信号を最初に送信した時から直ちにスマートキー２００によって感知応答信号を受信する。従って、例えば５回程度感知を遂行し、そのうち３回以上の感知応答信号を受信する場合にはスマートキー２００をトランク近所に置いているものとしてアウェー進入と判断する。この場合、持続的に１０分程度感知信号と感知応答信号をやり取りした後に、その１０分の間も継続してスマートキー２００が近辺にあるなら、使用者は遠くに行ってしまったものとみてスマートキー２００と認証を遂行し、認証された場合はスマートキー２００に解除信号を送信してスマートキー２００に保存されたハンズフリー設定を削除し、感知信号の送信を中断してスマートキー２００のバッテリー放電を防止する。
【００４８】
すなわち、制御機４００は、感知信号の送信を中断すると同時に、受信した感知応答信号に機能設定情報が含まれていた場合にはトランクアンテナ１００を通じて解除信号を送信し、スマートキー２００は解除信号を受信して、保存されたハンズフリー機能の設定を削除する。
【００４９】
図６に示す、制御機４００が、受信アンテナ３００が機能設定情報が含まれていない感知応答信号を一定時間の間または一定回数だけ持続的に受信する場合には、認証信号を送信して認証応答信号を受信し、認証処理を遂行して認証された場合、感知信号の送信を中断する。すなわち、この場合は、スマートキー２００を感知したが機能設定情報を含まない感知応答信号を受信した場合に相当し、このような感知応答信号が持続的に１０分間受信した場合、使用者が遠くに行ってしまったものとみてアウェー機能で認証処理を遂行し、認証した場合、感知信号の送信を中断してスマートキー２００のバッテリー放電を防止する。
【００５０】
一方、制御機４００は、機能設定情報が含まれた感知応答信号を受信した場合、外部通報信号を出力し、機能設定情報が含まれた感知応答信号をあらかじめ定められた回数だけ受信する間、一定周期で外部通報信号を出力し、トランク開放信号を出力する場合に外部通報信号を出力する。
【００５１】
すなわち、機能設定情報が含まれた感知応答信号を受信した場合、外部通報信号を出力して使用者にハンズフリー機能の突入を知らせ、機能設定情報が含まれた感知応答信号をあらかじめ定められた回数だけ受信する間一定周期で外部通報信号を出力してハンズフリー認識中であることを知らせ（例えば７回感知信号と感知応答信号をやり取りする間３回程度の通報信号を送出する）、トランク開放信号を出力する場合に外部通報信号を出力するようにしてトランクが開放されることを知らせることにより、使用者がトランクに衝突する場合等を防止する。
【００５２】
このような機能によって現在ハンズフリーがちゃんと作動しているかを知らせ、誤作動による事故の危険を防止して使用者を保護するようにすることができる。
【００５３】
一方、前記スマートキー２００は、それぞれのＩＤが備えられた複数個で用意され、感知応答信号または認証応答信号にはＩＤに係わる情報が含まれるようにする。したがって、制御機４００では、現在どのスマートキー２００がトランクに近接しているのかを知ることができる。
【００５４】
そして制御機４００は、複数のスマートキー２００から感知応答信号を受信する場合、機能設定情報が含まれた感知応答信号のスマートキー２００を基準にして認証処理及びトランク開放信号の出力を遂行することにより、実際にハンズフリーを使おうとする使用者の意図をより優先して明確に把握できるようにする。
【００５５】
そして制御機４００は、複数のスマートキー２００から感知応答信号を受信し、それぞれの感知応答信号に機能設定情報が全て含まれていた場合には、感知応答信号を先に受信したスマートキー２００を基準にして認証処理及びトランク開放信号の出力を遂行することにより、全ての使用者がハンズフリーを設定した場合でも、先にトランクに進入した使用者の意思を最優先してトランクの開放可否あるいは開放時点を決定するようにする。
【００５６】
上述したような構造からなるハンズフリートランクオープンシステム及びオープン方法によれば、トランクを一定感知領域で一定感知時間の間認証する条件を満たした時にのみ開放することにより、開放についての安定性と保安を強化できる。
【００５７】
また、スマートキーがトランク側に近接した場合にのみ開放するようにして、システムの安定性が確保され誤動作が減る。
【００５８】
また、警告機能を付加することにより、使用者が各段階を容易に認識し、トランクの開きに備えることができるようにし、スマートキーの認証が完了してトランクの開きが確認された場合にのみスマートキーの設定記録を削除することによりトランクの開放を確実に追跡することができるようにする。
【００５９】
アウェー機能を付加することにより、望まないトランクの開放を防止すると同時に、スマートキーのバッテリー放電を防止することができる。
【００６０】
また、同一車両に対する複数のスマートキーが近接する場合、システムエラーなしに安定してトランクの開放を遂行することができる。
【００６１】
本発明は、特定の実施例に関して図示して説明したが、以下の特許請求の範囲によって提供される本発明の技術的思想を外れない範囲内で、本発明を多様に改良及び変更することができるということは、当業者において自明である。
【産業上の利用可能性】
【００６２】
本発明は、ハンズフリートランクオープンシステムの分野に適用できる。
【符号の説明】
【００６３】
１００  ：  トランクアンテナ
２００  ：  スマートキー
３００  ：  受信アンテナ
４００  ：  制御機
【図１】
2014194142.tif 000003
【図２】
2014194142.tif 000004
【図３】
2014194142.tif 000005
【図４】
2014194142.tif 000006
【図５】
2014194142.tif 000007
【図６】
2014194142.tif 000008